(57)【要約】【課題】ウイルスの除去効果と汚れの洗浄効果を有する洗浄剤の提供。【解決手段】下記一般式（ａ）で表されるカチオン界面活性剤（Ａ）、ノニオン界面活性剤（Ｂ）、及び水を含有し、２５℃におけるｐＨが８〜１３である、液体洗浄剤。式（ａ）中、Ｒ１〜Ｒ４のうちの１つまたは２つは炭素数８〜２０のアルキル基またはアルケニル基であり、それ以外はそれぞれ独立に炭素数１〜３のアルキル基またはベンジル基である。Ｚ−はアルキル基の炭素数が１〜５のアルキル硫酸イオンを示す。［化１］2019182936.tif 000007【選択図】なし【特許請求の範囲】
【請求項１】
（Ａ）成分：下記一般式（ａ）で表されるカチオン界面活性剤、
（Ｂ）成分：ノニオン界面活性剤、及び
水を含有し、２５℃におけるｐＨが８〜１３である、液体洗浄剤。
【化１】
2019182936.tif 000006
［式中、Ｒ１〜Ｒ４のうちの１つまたは２つは炭素数８〜２０のアルキル基またはアルケニル基であり、それ以外はそれぞれ独立に炭素数１〜３のアルキル基またはベンジル基である。Ｚ−はアルキル基の炭素数が１〜５のアルキル硫酸イオンを示す。］
【請求項２】
（Ｃ）成分：珪酸塩（Ｃ）、をさらに含有する、請求項１に記載の液体洗浄剤。
【請求項３】
前記（Ｂ）成分が、第２級アルコールエトキシレート（Ｂ１）を含む、請求項１または２に記載の液体洗浄剤。
【請求項４】
前記（Ｂ）成分が、エチレンオキシドの平均付加モル数が１０以上３０以下である第２級アルコールエトキシレート（Ｂ１１）、及びエチレンオキシドの平均付加モル数が１以上１０未満である第２級アルコールエトキシレート（Ｂ１２）を含む、請求項３に記載の液体洗浄剤。
【発明の詳細な説明】
【技術分野】
【０００１】
本発明は、液体洗浄剤に関する。
【背景技術】
【０００２】
公衆衛生の分野において、細菌やウイルスによる感染症の予防が重要視されている。例えば病院や介護施設は、免疫力の低下した患者が集団生活を行うため感染症対策が重要となる。
細菌やウイルスは、感染者の唾液、排泄物や、それに触れた手を介して手すり・ドアノブといったコンタクトポイントの他にもテーブル、床、トイレ、お風呂といった幅広い箇所に伝播され得る。これらの箇所は施設利用者の生活の場であるため、排泄物や皮脂、たんぱく質等の汚れも共存しており、細菌やウイルスの除去と汚れの洗浄を同時に行えることが望まれる。
【０００３】
除菌成分としては、従来より、次亜塩素酸ナトリウム溶液等の塩素を含む薬剤が多く使用されていたが、洗浄対象物へのダメージや強い臭いにより、使用できる箇所が制限されてしまう。そこで近年では、より洗浄対象物へのダメージが少ない除菌成分として、カチオン界面活性剤である第四級アンモニウム塩が検討されるようになった。
特許文献１の実施例には、殺菌成分であるポリヘキサメチレングアニジンリン酸塩と、特定のノニオン界面活性剤と、対イオンが塩素イオンである第四級アンモニウム塩とを組み合わせた液体洗浄剤が記載されている。
【先行技術文献】
【特許文献】
【０００４】
【特許文献１】特開２００９−１０８１８４号公報
【発明の概要】
【発明が解決しようとする課題】
【０００５】
本発明者等の知見によれば、ウイルスは細菌と比較して不活化しにくく、従来の殺菌成分や除菌成分を配合した液体洗浄剤では、一般的な感染原因菌の除菌はできても、ウイルスの不活化効果が十分でない場合がある。また、ウイルスと汚れが一緒に付着している場所では、ウイルスが不活化されにくい場合があることも知見した。
本発明は、ウイルスと汚れが共存する場合でもウイルスの除去効果（細胞感染性を有するウイルス量を低減する効果）に優れ、汚れの洗浄とウイルスの除去を同時に行うことができる洗浄剤の提供を目的とする。
【課題を解決するための手段】
【０００６】
本発明は以下の態様を有する。
［１］（Ａ）成分：下記一般式（ａ）で表されるカチオン界面活性剤、（Ｂ）成分：ノニオン界面活性剤、及び水を含有し、２５℃におけるｐＨが８〜１３である、液体洗浄剤。
式（ａ）中、Ｒ１〜Ｒ４のうちの１つまたは２つは炭素数８〜２０のアルキル基またはアルケニル基であり、それ以外はそれぞれ独立に炭素数１〜３のアルキル基またはベンジル基である。Ｚ−はアルキル基の炭素数が１〜５のアルキル硫酸イオンを示す。
【０００７】
【化１】
2019182936.tif 000002
【０００８】
［２］（Ｃ）成分：珪酸塩（Ｃ）、をさらに含有する、［１］の液体洗浄剤。
［３］前記（Ｂ）成分が、第２級アルコールエトキシレート（Ｂ１）を含む、［１］または［２］の液体洗浄剤。
［４］  前記（Ｂ）成分が、エチレンオキシドの平均付加モル数が１０以上３０以下である第２級アルコールエトキシレート（Ｂ１１）、及びエチレンオキシドの平均付加モル数が１以上１０未満である第２級アルコールエトキシレート（Ｂ１２）を含む、［３］の液体洗浄剤。
【発明の効果】
【０００９】
本発明の液体洗浄剤は、ウイルスと汚れが共存する場合でもウイルスの除去効果に優れ、汚れの洗浄とウイルスの除去を同時に行うことができる。
【発明を実施するための形態】
【００１０】
（液体洗浄剤）
本発明の液体洗浄剤は、（Ａ）成分と（Ｂ）成分と水を含有する組成物である。さらに（Ｃ）成分を含むことが好ましい。
【００１１】
＜（Ａ）成分＞
（Ａ）成分は下記式（ａ）で表されるカチオン界面活性剤である。（Ａ）成分は１種でもよく２種以上を併用してもよい。
【００１２】
【化２】
2019182936.tif 000003
【００１３】
式（ａ）において、Ｒ１〜Ｒ４のうちの１つまたは２つは炭素数８〜２０のアルキル基または炭素数８〜２０のアルケニル基であり、それ以外はそれぞれ独立に炭素数１〜３のアルキル基またはベンジル基である。
炭素数８〜２０のアルキル基としては、炭素数１０〜１８のアルキル基が好ましい。アルキル基は直鎖でもよく分岐鎖でもよい。炭素数８〜２０のアルケニル基としては、炭素数１０〜１８のアルケニル基が好ましい。アルケニル基は直鎖でもよく分岐鎖でもよい。  炭素数１〜３のアルキル基は、メチル基、エチル基、またはプロピル基である。これらのうち原料入手のしやすさの点でメチル基が好ましい。
Ｚ−は対イオンであり、アルキル硫酸イオンである。アルキル硫酸イオン中のアルキル基の炭素数は１〜５であり、１〜３が好ましい。例えばメチル硫酸イオン、エチル硫酸イオンが挙げられる。
例えば、Ｒ１〜Ｒ４のうちの２つが炭素数８〜２０、好ましくは炭素数８〜１２のアルキル基であり、残りの２つがそれぞれ独立に炭素数１〜３のアルキル基であり、Ｚ−がアルキル硫酸イオンである化合物が挙げられる。
または、Ｒ１〜Ｒ４のうちの１つが炭素数８〜２０、好ましくは炭素数１２〜１８のアルキル基であり、残りの３つがそれぞれ独立に炭素数１〜３のアルキル基であり、Ｚ−がアルキル硫酸イオンである化合物が挙げられる。
【００１４】
（Ａ）成分の含有量は、液体洗浄剤の総質量に対して０．０１〜１５質量％が好ましく、０．０３〜１２質量％がより好ましい。（Ａ）成分の含有量が上記下限値以上であると、ウイルス除去効果に優れ、上記上限値以下であると液安定性に優れる。
本明細書において「液安定性に優れる」とは、成分の分離や析出が生じ難いことを意味する。
【００１５】
＜（Ｂ）成分＞
（Ｂ）成分は、ノニオン界面活性剤である。（Ｂ）成分は１種でもよく２種以上を併用してもよい。
（Ｂ）成分としては、ポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキシド、硬化ヒマシ油のアルキレンオキシド付加体、糖脂肪酸エステル、Ｎ−アルキルポリヒドロキシ脂肪酸アミド、アルキルグリコシド等が例示できる。なお、高級アミンとは、炭素数８〜２２の炭化水素基を有するアミンを意味する。
【００１６】
（Ｂ）成分は、短時間で汚れを除去する洗浄力に優れる点で、第２級アルコールにエチレンオキシド（以下「ＥＯ」ともいう。）を付加した第２級アルコールエトキシレート（以下「（Ｂ１）成分」ともいう。）を用いることが好ましい。
第２級アルコールエトキシレートは、下記式（ｂ）で表される。
Ｒ−Ｏ−（ＥＯ）ｍ−Ｈ  …（ｂ）
式（ｂ）において、Ｒは第２級アルコール由来のアルキル基であり、ｍはＥＯの平均付加モル数である。
Ｒの炭素数は８〜２２が好ましく、１０〜２０がより好ましく、１０〜１８がさらに好ましい。ｍは１〜３０  が好ましく、２〜２５がより好ましく、３〜２０がさらに好ましく、４〜１５が特に好ましい。
【００１７】
（Ｂ１）成分を用いる場合、ＥＯの平均付加モル数が１０以上３０以下である第２級アルコールエトキシレート（以下「（Ｂ１１）成分」ともいう。）と、ＥＯの平均付加モル数が１以上１０未満である第２級アルコールエトキシレート（以下「（Ｂ１２）成分」ともいう。）を併用することが好ましい。
これらを併用することで、親水性の汚れ及び疎水性の汚れの両方に対して優れた洗浄力が得られやすい。
（Ｂ１１）成分におけるＥＯの平均付加モル数は１０〜２５が好ましく、１０〜２０  がより好ましい。
（Ｂ１２）成分におけるＥＯの平均付加モル数は２〜９が好ましく、３〜８がより好ましい。
（Ｂ１１）成分の含有量に対する、（Ｂ１２）成分の含有量の質量比を表す（Ｂ１２）／（Ｂ１１）は０．２／１〜５／１が好ましく、０．３／１〜３／１がより好ましい。
【００１８】
（Ｂ）成分の含有量は、液体洗浄剤の総質量に対して０．０２〜３０質量％が好ましく、０．０６〜２５質量％がより好ましい。（Ｂ）成分の含有量が上記下限値以上であると、汚れ洗浄力に優れる。上記上限値以下であると液安定性に優れる。
（Ｂ）成分の合計の含有量に対して、（Ｂ１）成分の割合が５０〜１００質量％であることが好ましく、８０〜１００質量％がより好ましく、１００質量％が特に好ましい。
（Ａ）成分の含有量に対する、（Ｂ）成分の含有量の質量比を表す（Ｂ）／（Ａ）は０．２／１〜１００／１が好ましく、０．４／１〜６０／１がより好ましい。
【００１９】
＜（Ｃ）成分＞
（Ｃ）成分は珪酸塩であり、無水物、水和物のいずれも用いることができる。液体洗浄剤のアルカリ度を高めて洗浄力の向上に寄与する。（Ｃ）成分は１種でもよく２種以上を併用してもよい。
珪酸塩としては、Ｍ２Ｏ・ｎＳｉＯ２（式中、Ｍはナトリウム又はカリウム、ｎはＳｉＯ２のモル数）で表されるものが挙げられ、水和物でもよい。ｎは０．５〜２が好ましく、０．５〜１がより好ましい。
具体的には、メタ珪酸ナトリウム、メタ珪酸カリウム、１号珪酸ナトリウム、１号珪酸カリウム、２号珪酸ナトリウム、２号珪酸カリウム、オルソ珪酸ナトリウム、オルソ珪酸カリウム等が挙げられる。
アルカリ度が高く洗浄効果に優れる点で、メタ珪酸ナトリウム、メタ珪酸カリウム、オルソ珪酸ナトリウム、オルソ珪酸カリウムがより好ましい。
【００２０】
液体洗浄剤に（Ｃ）成分を含有させる場合、（Ｃ）成分の含有量は、液体洗浄剤の総質量に対して０．００１〜２質量％が好ましく、０．００３〜１．５質量％がより好ましい。上記下限値以上であると（Ｃ）成分の添加効果が充分に得られやすく、上記上限値以下であると液安定性に優れる。
（Ａ）成分と（Ｂ）成分の含有量の合計に対する、（Ｃ）成分の含有量の質量比を表す（Ｃ）／（Ａ＋Ｂ）は０．００１〜０．１が好ましく、０．００５〜０．０５がより好ましい。
【００２１】
＜任意成分＞
液体洗浄剤は、（Ａ）〜（Ｃ）成分、及び水以外に任意成分を含有してもよい。
任意成分としては、例えば、（Ａ）成分以外のカチオン界面活性剤、ノニオン界面活性剤、両性界面活性剤等の、その他の界面活性剤；パラトルエンスルホン酸、炭素数１〜３の１級アルコール等のハイドロトロープ剤；クエン酸ナトリウム、メチルグリシン二酢酸塩、エチレンジアミン四酢酸塩等の金属封鎖剤；色素；特開２００２−１７３６９８号公報の表３〜４記載の香料組成物Ａ〜Ｆ、特開２００３−８２３９８号公報の表５〜１３記載の香料組成物Ｘ１〜Ｐ２、特開２００４−３２２０７８号公報の表１〜２記載の香料組成物ａ〜ｆ、特開２００５−１８７６３８号公報の表３記載の香料組成物ａ〜ｃ、特開２００６−１５１９０７号公報の表３記載の香料組成物Ａ〜Ｄ、特開２０１５−１２４３６３号公報の表４記載の香料組成物Ａ〜Ｄ、特開２０１５−２１０７６号公報の表２記載の香料組成物Ｄ−１〜Ｄ−２ならびにＤ’−１等の、香料；水混和性有機溶媒；ｐＨ調整剤；防腐剤；抗カビ剤；酸化防止剤；増粘剤；紫外線吸収剤等が挙げられる。
【００２２】
（Ａ）成分と（Ｂ）成分の含有量の合計に対する、その他の界面活性剤の含有量の合計の質量比を表す、その他の界面活性剤／（Ａ＋Ｂ）は０／１〜１００／１が好ましく、０／１〜５０／１がより好ましく、０／１〜２０／１がさらに好ましく、０／１〜１０／１が特に好ましい。
なお、洗浄力の点でアニオン界面活性剤は含まないことが好ましい。具体的に液体洗浄剤の総質量に対してアニオン界面活性剤の含有量は０．００１質量％以下が好ましく、０．０００１質量％以下がより好ましく、ゼロが特に好ましい。
【００２３】
ｐＨ調整剤としては、塩酸、硫酸、リン酸等の無機酸、水酸化ナトリウム、水酸化カリウム、アルカノールアミン、アンモニア等が挙げられる。これらのなかでも、液体洗浄剤の経時安定性の面から、硫酸、水酸化ナトリウム、水酸化カリウム、アルカノールアミンが好ましく、硫酸、水酸化ナトリウムが好ましい。ｐＨ調整剤は、１種を単独で用いてもよく、２種以上を併用してもよい。
【００２４】
「水混和性有機溶媒」とは、２５℃のイオン交換水１Ｌに５０ｇ以上溶解する有機溶媒であり、液体洗浄剤の分野において公知のものを使用できる。
例えば、エタノール、１−プロパノール、２−プロパノール、１−ブタノール等の炭素数２〜４の一価アルコール；エチレングリコール、プロピレングリコール、ブチレングリコール、トリエチレングリコール、テトラエチレングリコール、平均分子量約２００〜５０００のポリエチレングリコール、メトキシポリエチレングリコール、グリセリン等の炭素数２〜４の多価アルコール；及び
エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル、ダイセル社製セルトールＥＤＧＡＣ（ジエチレングリコールモノエチルエーテルアセテート）等のグリコールエーテル系溶剤が挙げられる。
【００２５】
任意成分の合計の含有量は特に限定されないが、例えば、液体洗浄剤の総質量に対し、５０質量％以下が好ましく、４０質量％以下がより好ましく、３５質量％以下がさらに好ましい。
【００２６】
＜水＞
液体洗浄剤は、原液のまま使用できる製品形態でもよく、原液を希釈して使用する濃縮タイプの製品形態でもよい。水の含有量は特に限定されないが、液安定性の点からは２５質量％以上が好ましく、３０質量％以上がより好ましい。
液体洗浄剤の各成分の含有量の合計は、１００質量％を超えない。
【００２７】
液体洗浄剤の、２５℃におけるｐＨは８〜１３であり、９〜１３が好ましく、１０〜１２がさらに好ましい。液体洗浄剤のｐＨが上記範囲内であると、ウイルス除去効果および汚れ洗浄力に優れる。液体洗浄剤のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
【００２８】
＜製造方法＞
液体洗浄剤は、従来公知の液体洗浄剤の製造方法に準じて製造することができる。例えば、分散媒である水の一部に、ｐＨ調整剤を除く各成分を加えて混合した後、ｐＨ調整剤を添加してｐＨを調整した後、水の残部を加えて全体量を１００質量％として、液体洗浄剤とする。
【００２９】
＜使用方法＞
液体洗浄剤の使用方法は、液体洗浄剤の原液または希釈液を洗浄対象物に接触させた後、液体洗浄剤を汚れ等とともに除去する方法が好ましい。
使用時の液体洗浄剤における（Ａ）成分と（Ｂ）成分の含有量は、液体洗浄剤の総質量に対して（Ａ）成分が０．０１〜１．５質量％かつ（Ｂ）成分が０．０２〜１０質量％であることが好ましく、（Ａ）成分が０．０３〜１質量％かつ（Ｂ）成分が０．０６〜８質量％であることがより好ましく、（Ａ）成分が０．０５〜０．５質量％かつ（Ｂ）成分が０．１〜５質量％であることがさらに好ましい。また、任意成分の含有量は１５質量％以下が好ましく、１０質量％以下がより好ましく、８質量％以下がさらに好ましい。
使用時の液体洗浄剤における（Ｂ）／（Ａ）の質量比、（Ｃ）成分を含む場合の（Ｃ）／（Ａ＋Ｂ）の質量比、その他の界面活性剤を含む場合の、その他の界面活性剤／（Ａ＋Ｂ）の質量比の好ましい範囲は上記と同様である。
【００３０】
洗浄対象物は床、壁、ドア、ドアノブ、手すり、便器、浴室設備等の硬質表面が好ましい。
液体洗浄剤を洗浄対象物に接触させる方法は、例えば、液状で塗布する方法、霧状または泡状で吹き付ける方法が挙げられる。
液体洗浄剤を汚れ等とともに除去する方法は、例えば、雑巾、モップ、ブラシ等の器具で拭き取る方法、水で洗い流す方法が挙げられる。
【００３１】
液体洗浄剤はスプレー容器やスクイズ容器等の吐出容器に収容されていてもよい。
スプレー容器としては、エアゾールスプレー容器、トリガースプレー容器（直圧型又は蓄圧型）、ディスペンサースプレー容器等が挙げられる。これらの容器は、手動式のものでもよいし、電動式のものでもよい。
エアゾールスプレー容器としては、例えば、特開平９−３４４１公報、特開平９−５８７６５号公報等に記載されているものが挙げられる。
トリガースプレー容器としては、例えば、特開平９−２６８４７３号公報、特開平１０−７６１９６号公報等に記載のものが挙げられる。蓄圧式のトリガースプレー容器としては、例えば、特開２０１３−１５４２７６号公報等に記載のものが挙げられる。
ディスペンサースプレー容器としては、例えば、特開平９−２５６２７２号公報等に記載のものが挙げられる。
【実施例】
【００３２】
以下、実施例を示して本発明を詳細に説明するが、本発明は以下の記載によって限定されるものではない。
【００３３】
（使用原料）
＜（Ａ）成分＞
Ａ−１：ジデシルジメチルアンモニウムメチルサルフェート、式（ａ）中のＲ１〜Ｒ４のうちの２つが炭素数１０のアルキル基であり、残りの２つがメチル基であり、Ｚ−がメチル硫酸イオンである化合物。）。
Ａ−２：ジデシルジメチルアンモニウムエチルサルフェート、式（ａ）中のＲ１〜Ｒ４のうちの２つが炭素数１０のアルキル基であり、残りの２つがメチル基であり、Ｚ−がエチル硫酸イオンである化合物。）。
Ａ−３：ステアリルトリメチルアンモニウムメチルサルフェート、式（ａ）中のＲ１〜Ｒ４のうちの１つが炭素数１８のアルキル基であり、残りの３つがメチル基であり、Ｚ−がメチル硫酸イオンである化合物。）。
＜（Ｂ）成分＞
Ｂ１１−１：第２級アルコールエトキシレート（ソフタノール１２０、日本触媒社製品名、式（ｂ）中のＲの炭素数１２〜１４、ｍ＝１２）。
Ｂ１２−１：第２級アルコールエトキシレート（ソフタノール５０、日本触媒社製品名、式（ｂ）中のＲの炭素数１２〜１４、ｍ＝５）。
＜比較成分＞
カチオン界面活性剤（１）：ジデシルジメチルアンモニウムクロライド（リポカード  ２１０−８０Ｅ、ライオン・スペシャリティ・ケミカルズ（株）製）。
アニオン界面活性剤（１）：直鎖アルキルベンゼンスルホン酸ナトリウム（ライポンＬＳ−２５０、ライオン・スペシャリティ・ケミカルズ（株）製）。
＜（Ｃ）成分＞
Ｃ−１：メタ珪酸ナトリウム（メタ珪酸ナトリウム・５水塩、広栄化学工業（株）製、有効成分５７．５質量％）。
Ｃ−２：オルソ珪酸ナトリウム（ネオオルソ８０粒、広栄化学工業（株）製、有効成分８１．５質量％）。
＜任意成分＞
クエン酸ナトリウム：（試薬特級、和光純薬工業(株)製）。
両性界面活性剤（１）：ラウリン酸アミドプロピルジメチルアミノ酢酸ベタイン（エナジーコールＬ−３０Ｂ、ライオン・スペシャリティ・ケミカルズ（株）製）
プロピレングリコール：（試薬一級、純正化学（株）製）。
エタノール：（試薬一級、純正化学（株）製）。
ジエチレングリコールモノブチルエーテル：（ブチルジグリコール、日本乳化剤（株）製）。
ｐＨ調整剤：水酸化ナトリウム（試薬特級、和光純薬工業(株)製）または硫酸（試薬一級、和光純薬工業(株)製）。
【００３４】
（実施例１〜１３、比較例１〜５）
表１〜２に示す組成に従い、ｐＨ調整剤以外の各成分を混合し、表に示す液体洗浄剤のｐＨの値となるようｐＨ調整剤を加えて、液体洗浄剤を調製した。各例の液体洗浄剤について、下記の方法でウイルス除去効果および洗浄力（油汚れ、タンパク質汚れ）を評価した。結果を表に示す。
なお、表中の配合量は純分換算値である。表中、空欄はその配合成分が配合されていないことを意味する。
ｐＨ調整剤の含有量「適量」は、各例の液体洗浄剤のｐＨを表中の値にするのに要した量である。また、水の含有量「バランス」は、液体組成物に含まれる全配合成分の合計の配合量（質量％）が１００質量％となるように加えられる残部を意味する。
実施例１〜１０および比較例１〜５において、ｐＨ調整剤の配合量は０〜０．５質量％の範囲内であり、水の配合量は９２〜９５質量％の範囲内であった。下記の評価を行う際には原液をそのまま試料として使用した。
実施例１１〜１３は濃縮タイプの液体洗浄剤を製造した例であり、ｐＨ調整剤の配合量は０〜０．５質量％の範囲内であり、水の配合量は３３〜３４質量％の範囲内であった。下記の評価を行う際には水で５０倍に希釈した液を試料として使用した。
【００３５】
＜評価方法＞
［ウイルス除去効果］
下記の方法で、ウイルスとタンパク質汚れ、皮脂汚れが共存するテストピースを作成し、液体洗浄剤（対照試験は生理食塩水）でテストピースを拭き取り洗浄した後、テストピースに残ったウイルスの感染価を測定し、対照試験を基準とするウイルス感染価の低減効果を調べた。ウイルス感染価は細胞感染性を有するウイルス量の指標となる値である。
ウイルス感染価は、細胞にウイルスを感染させ、限界希釈法により、５０％培養細胞感染濃度（ＴＣＩＤ５０）に基づき測定した。
供試ウイルスは、ネコカリシウイルス（Ｆｅｌｉｎｅ  ｃａｌｉｃｉｖｉｒｕｓ、ＡＴＣＣ株ＶＲ−７８２）を用いた。ネコカリシウイルスは、ネコカリシウイルス感染症というネコの感染症の病原体で、ノロウイルスと構造が似ており、似た性質を持つものである。ノロウイルスは培養系が確立されていないため、ノロウイルスの代替ウイルスとして、同じカリシ科に属するネコカリシウイルスを用いて、ウイルス感染力を確認する方法が一般的に採用されている。
供試細胞は、ＣＲＦＫ細胞（ネコ腎臓細胞、ＡＴＣＣ株ＣＣＬ−９４）を用いた。
【００３６】
（テストピースの作製）
ウイルス液と、６ｇ／Ｌに調整した牛血清アルブミン水溶液（ＢＳＡ  Ｆｒａｃｔｉｏｎ  Ｖ  Ｂｏｖｉｎｅ  Ａｌｂｕｍｉｎ  Ｆｒａｃｔｉｏｎ  Ｖ  ｓｏｌｕｔｉｏｎ  ７．５％、ｇｉｂｃｏ）を１：１で混合し、試験ウイルス液とした。
ステンレステストピースに試験ウイルス液を１０μＬを滴下し乾燥させた。この上に皮脂モデル汚垢を５μＬを添加し、乾燥させたものをテストピースとした。
（拭き取り洗浄）
テストピースに、液体洗浄剤の試料５００μＬを滴下し、その直後に綿布（かなきん３号）を用いて５往復ふき取りを行った。
対照試験として、ＰＢＳ（−）（ダルベッコリン酸緩衝生理食塩水、ＰＢＳ（−）粉末「ニッスイ（日水製薬社製品名）」の水溶液）の５００μＬを、テストピースに滴下し、同様にしてふき取りを行った。
（ウイルス感染価の測定）
上記拭き取り洗浄を行ったテストピースを、ストマッカー袋に入れ、イーグル最小必須培地  ＭＥＭ（Ｅ−ＭＥＭ、ＳＩＧＭＡ社）を１０ｍＬ加えてウイルスを洗い出した。さらに、ウイルス感染価を求めるため、Ｅ−ＭＥＭを用いて１０倍で段階希釈して希釈試料とした。
ＣＲＦＫ細胞を、１０％牛胎児血清（ＦＢＳ、ＳＩＧＭＡ社）を添加したＥ−ＭＥＭを培地として用い、９６穴ウエルプレート内で単層培養した後、培養液を除去し、上記希釈試料１００μＬを、４ウェルずつ接種し、ＣＯ２インキュベーターにて３７℃で３〜５日間培養した。
培養後、実体顕微鏡にてウイルス感染の有無を観察し、感染価（５０％組織培養感染値量、５０％  ｔｉｓｓｕｅ  ｃｕｌｔｕｒｅ  ｉｎｆｅｃｔｉｖｅ  ｄｏｓｅ、ＴＣＩＤ５０）を求めた。ＴＣＩＤ５０はＢｅｈｒｅｎｓ・Ｋａｒｂｅｒ法に従い、下記式により算出した。
ｌｏｇ  ＴＣＩＤ５０＝ｌｏｇ（１列目の希釈度）−（各希釈列における（変性ウェル数／全ウェル数）の総和−０．５）×ｌｏｇ（希釈率）
対照試験におけるウイルス感染価と比較し、下記の基準でウイルス除去効果を評価した。結果を表に示す。
（評価基準）
◎：ウイルス感染価の減少値が３以上。
○：ウイルス感染価の減少値が２以上３未満。
△：ウイルス感染価の減少値が１以上２未満。
×：ウイルス感染価の減少値が１未満。
【００３７】
［洗浄力］
下記の油汚れとタンパク質汚れを、それぞれステンレステストピースに２０μＬ滴下し、乾燥させて汚垢板を作成した。汚垢板に液体洗浄剤の試料５００μＬを滴下し、その直後にカウンタークロスを用いて１回ふき取りを行った。ふき取り後の汚垢板を目視で観察し、下記の基準で洗浄力を評価した。結果を表に示す。
油汚れ：ＪＩＳ  Ｋ  ３３６２（合成洗剤試験方法）の台所用合成洗剤の洗浄力評価方法記載のモデル汚れ。
タンパク質汚れ：ヒツジ血液（羊  血液  （クエン酸ナトリウム）４℃、フナコシ（株）製）。
（評価基準）
５：汚れが大部分落ちている。
４：汚れがかなり落ちている。
３：汚れが半分程度落ちている。
２：汚れがやや落ちている。
１：汚れがはっきり残っている。
【００３８】
【表１】
2019182936.tif 000004
【００３９】
【表２】
2019182936.tif 000005
【００４０】
表１〜２に示すように、実施例１〜１３の液体洗浄剤は、汚れと共存するウイルスに対する除去効果、油汚れに対する洗浄力、タンパク質汚れに対する洗浄力のいずれも優れていた。
（Ａ）成分を含有しない比較例１は、実施例２と比べて、洗浄力は同等であったが、ウイルス除去効果がほとんど得られなかった。
（Ｂ）成分を含有しない比較例２は、実施例２に比べて洗浄力が劣り、実施例２と同様に（Ａ）成分を含有するにもかかわらずウイルス除去効果が劣った。
液体洗浄剤のｐＨが７である比較例３は、実施例２と同様に（Ａ）成分を含有し、油汚れに対する洗浄力が実施例２と同等であるにもかかわらず、ウイルス除去効果が劣った。また実施例２に比べてタンパク質汚れに対する洗浄力が劣った。
（Ａ）成分を含有せず、その代わりに対イオンが塩素イオンの第四級アンモニウム塩を用いた比較例４は、実施例２と比べて、洗浄力は同等であったが、ウイルス除去効果が劣った。
（Ｂ）成分を含有せず、その代わりにアニオン界面活性剤を用いた比較例５は、洗浄力が劣り、（Ａ）成分を含有するにもかかわらずウイルス除去効果がほとんど得られなかった。